(57)【特許請求の範囲】
【請求項１】
枠体(1)とその内側にセットされる複数段の棚(2)とから成り、枠体(1)が両側の対向する側壁(3)と前壁(4)及び後壁(5)とを備え、側壁(3)に前後方向の中間部で上下に延びる折畳用のヒンジ(1a)が設けられた厚紙製陳列台において、
前記枠体(1)は、その前半部となる前枠材(11)と後半部となる後枠材(12)とが、各段の棚(2)の下方に位置する両側の接合片(8)で継ぎ合わされた構成とされ、接合片(8)の基部が側壁(3)のヒンジ(1a)となり、
前記各段の棚(2)は、前壁(4)又は後壁(5)から延出されて、基端側となる前壁(4)又は後壁(5)との接続部を軸に上下方向に揺動するものとされ、その接続部に対向する後壁(5)又は前壁(4)には、棚(2)が先端から挿通される開口部(9)が形成され、
前記枠体(1)の対向する側壁(3)をヒンジ(1a)に沿って山折りに屈曲させると、棚(2)が後壁(5)又は前壁(4)の開口部(9)から突出して、後壁(5)又は前壁(4)の外面に接近する方向へ揺動した折畳状態となり、
折畳状態で対向する側壁(3)のヒンジ(1a)の近傍を内側へ押すと、側壁(3)の折り曲げが伸びて、棚(2)が後壁(5)又は前壁(4)の開口部(9)から枠体(1)の内部に挿入される方向へスライドし、枠体(1)の内側へ接合片(8)が突出し、棚(2)の後部の係合切込(2a)に後壁(5)の開口部(9)の端縁両端部に臨む上向きの係合片(5a)が嵌まり込むと共に、棚(2)の前後方向の中間部の係合穴(2b)に接合片(8)の上向きの係合突起(8a)が嵌まり込み、棚(2)の先端部が後壁(5)又は前壁(4)の開口部(9)の端縁に支持され、棚(2)の前後方向の中間部が接合片(8)に支持された組立状態となる厚紙製陳列台。
【発明の詳細な説明】
【技術分野】
【０００１】
この発明は、店頭において折畳状態から組み立て、商品の陳列に使用する厚紙製陳列台に関するものである。
【背景技術】
【０００２】
下記特許文献１には、図６に示すような厚紙製陳列台が記載されている。この厚紙製陳列台は、枠体５１が両側の対向する側壁５２と前壁５３及び後壁５４とを備え、上下２段の棚５５及び台板５６を有し、棚５５を後壁５４に上下方向に回動自在に取り付け、一対の側壁５２の間に棚５５の下面に沿う棚受板５７を渡し、棚受板５７に後端角から前縁へ至る斜折線５７ａを入れたものである。
【０００３】
前壁５３と台板５６とは繋がれて、枠体５１の下部に内装固定された台受材５８で台板５６が支持され、側壁５２にビスで棚受板５７が固定されている。側壁５２及び台受材５８の側面には、ヒンジとなる折目線５９が入れられている。
【０００４】
この陳列台は、図７に示すように、棚５５及び台板５６を跳ね上げ、一対の側壁５２及び台受材５８を折目線５９に沿って内側へ折り曲げると、棚受板５７が斜折線５７ａ沿いに屈曲して偏平に折り畳まれ、嵩張らない状態で小売店に配送することができる。
【０００５】
そして、小売店の店頭では、図８に示すように、一対の側壁５２を開いて、棚受板５７の斜折線５７ａでの折り曲げを伸ばし、台受材５８がコ字状に立体化された状態で、棚５５を跳上状態から降下させて棚受板５７に載せ、台板５６を枠体５１の内側に装入して台受材５８に載せると、組み立てが完了する。
【先行技術文献】
【特許文献】
【０００６】
【特許文献１】特開２００４−４９７８８号公報
【発明の概要】
【発明が解決しようとする課題】
【０００７】
しかしながら、上記のような厚紙製陳列台では、小売店の店頭で折畳状態から組み立てる際、一対の側壁５２を開いた後、棚５５と台板５６とをそれぞれ棚受板５７及び台受材５８で支持されるようにセットする必要があるため、組立手順を理解して組み立てる作業に若干手間を要するという問題がある。
【０００８】
そこで、この発明は、店頭で直感的かつ迅速に組み立てられる厚紙製陳列台を提供することを課題とする。
【課題を解決するための手段】
【０００９】
上記課題を解決するため、この発明は、枠体とその内側にセットされる棚とから成り、枠体が両側の対向する側壁と前壁及び後壁とを備え、側壁に前後方向の中間部で上下に延びる折畳用のヒンジが設けられた厚紙製陳列台において、前記棚は、前壁又は後壁から延出されて、基端側となる前壁又は後壁との接続部を軸に上下方向に揺動するものとされ、その接続部に対向する後壁又は前壁には、棚が先端から挿通される開口部が形成され、前記枠体の対向する側壁をヒンジに沿って山折りに屈曲させると、棚が後壁又は前壁の開口部から突出して、後壁又は前壁の外面に接近する方向へ揺動した折畳状態となり、折畳状態で対向する側壁のヒンジの近傍を内側へ押すと、側壁の折り曲げが伸びて、棚が後壁又は前壁の開口部から枠体の内部に挿入される方向へスライドし、棚の先端部が後壁又は前壁の開口部の端縁に支持された組立状態となるものとしたのである。
【００１０】
また、前記枠体は、前枠材と後枠材とが両側の接合片で継ぎ合わされた構成とされ、接合片の基部が側壁のヒンジとなり、組立状態では、枠体の内側へ接合片が突出し、棚の前後方向の中間部が接合片に支持されるものとしたのである。
【発明の効果】
【００１１】
この発明に係る厚紙製陳列台では、店頭において折畳状態から組み立てる際、対向する側壁のヒンジの近傍を内側へ押すだけで、側壁の折り曲げが伸びて、前壁又は後壁から延出された棚が後壁又は前壁の開口部から枠体内に挿入される方向へスライドし、棚の先端部が開口部の端縁に支持された組立状態となるので、組立手順を記載した説明書等を参照しなくても、直感的かつ迅速に組み立てられ、陳列作業の効率が向上する。
【図面の簡単な説明】
【００１２】
【図１】この発明の実施形態に係る厚紙製陳列台の組立状態を前方から示す斜視図
【図２】同上の組立状態を後方から示す斜視図
【図３】同上の組立過程を後方から示す斜視図
【図４】同上の伏倒した折畳状態を後方から示す斜視図
【図５】同上の厚紙製陳列台を構成する部材のブランクを示す図
【図６】特許文献１に記載された厚紙製陳列台の組立状態を前方から示す斜視図
【図７】同上の折畳状態を前方から示す斜視図
【図８】同上の組立過程を前方から示す斜視図
【発明を実施するための形態】
【００１３】
以下、この発明の実施形態を図１−図５に基づいて説明する。
【００１４】
この陳列台は、図１及び図２に示すように、四角筒状の枠体１と、その内側にセットされる上下３段の棚２とから基本的に構成され、付加的な部材として広告板３０を備えており、図５にブランク状態で示す段ボール製の部材から組み立てられる。枠体１は、前枠材１１、後枠材１２、各一対の前部補強材１３及び後部補強材１４から構成され、各段の棚２は、棚板材２１及び棚補強材２２から構成される。
【００１５】
前枠材１１は、一対の側壁３の前半部を構成する前側板６が上段、中段及び下段の前壁４を介して繋がれたものとされている。上段及び中段の前壁４の上縁には補強片４ａが、下縁には棚受片４ｂがそれぞれ連設され、下段の前壁４の上縁には補強片４ａ及び棚受片４ｂが順次連設されている。
【００１６】
前側板６の上端には補強片６ａが連設され、その後方となる端縁には補強片６ｂが連設されている。前側板６の前端となる端縁には、上段と中段の前壁４の間の部分及び中段と下段の前壁４の間の部分に迫り出す補強片６ｃが連設されている。
【００１７】
前側板６の後端となる端縁には、上段、中段及び下段の接合片８が連設され、前側板６と接合片８の境界の罫線はヒンジ１ａとされている。接合片８の上端部には、係合突起８ａが上向きに突設されている。
【００１８】
後枠材１２は、一対の側壁３の後半部を構成する後側板７が上段、中段、下段及び最上部の後壁５を介して繋がれたものとされ、後側板７の上端には補強片７ａが連設されている。後壁５の間には、上段、中段及び下段の開口部９となる部分が形成されている。開口部９は、後述の補強片５ｂの折り曲げに伴い開口するものである。
【００１９】
上段、中段、下段の後壁５の開口部９に臨む端縁の両端部には、それぞれ係合片５ａが上向きに形成され、係合片５ａに挟まれた各段の後壁５の上縁には、補強片５ｂが連設されている。最上部の後壁５の上端には、補強片５ｃ，５ｄが順次連設され、補強片５ｃの基部にはスリット状の差込穴５ｅが設けられている。補強片５ｄには、先端中央部から切欠部が形成されている。
【００２０】
後側板７の前端となる端縁には、上段、中段及び下段の接合片８が連設され、後側板７と接合片８の境界の罫線はヒンジ１ａとされている。接合片８の上端部には、係合突起８ａが上向きに突設されている。
【００２１】
前部補強材１３は、前枠材１１の前側板６に対応した形状とされ、その上端となる端縁及び前端となる端縁には、切欠部がそれぞれ形成されている。
【００２２】
後部補強材１４は、後枠材１２の後側板７に対応した形状とされ、その上端となる端縁には、切欠部が形成されている。
【００２３】
棚板材２１は、棚表板２３の両側に棚側部２４及び棚裏板２５が順次連設されたものであり、棚裏板２５は、棚表板２３のほぼ半分の幅となっている。棚裏板２５の前方となる部分には、切欠部が形成されている。
【００２４】
棚板材２１における後端側となる部分には、棚側部２４から棚表板２３及び棚裏板２５へ延びるように、端縁で開放された係合切込２ａが形成されている。棚裏板２５の前後方向の中間部における棚側部２４寄りの部分には、係合穴２ｂが形成されている。
【００２５】
棚補強材２２は、棚板材２１の棚表板２３に対応した形状とされ、その前後方向の中間部には、両側に係合穴２ｂが形成されている。棚補強材２２の材料としては、棚板材２１よりも厚手の段ボールが使用されている。
【００２６】
広告板３０は、表示板部３０ａの両側に補強片３０ｂが連設され、表示板部３０ａの下端中央部に差込片３０ｃが連設されたものとなっている。
【００２７】
上記のようなブランクから陳列台を組み立てる際、前枠材１１のブランクでは、一対の前側板６の内面に前部補強材１３を貼り付け、補強片６ａ，６ｃを内側へ折り曲げて、前部補強材１３の切欠部に嵌るように前側板６の内面に貼り付ける。また、上段と中段の前壁４の内面に、その上縁から折り返した補強片４ａを貼り付ける。
【００２８】
後枠材１２のブランクでは、一対の後側板７の内面に後部補強材１４を貼り合わせ、補強片７ａを内側へ折り曲げて、後部補強材１４の切欠部に嵌るように後側板７の内面に貼り付ける。また、上段、中段、下段の後壁５の上端からそれぞれ補強片５ｂを内側下方へ折り曲げ、後壁５の内面に貼り付ける。さらに、最上部の後壁５から補強片５ｃ，５ｄを巻き込むように折り曲げ、補強片５ｄを後壁５の内面に貼り付ける。
【００２９】
また、棚板材２１のブランクでは、棚表板２３の裏面に棚補強材２２を貼り付け、棚側部２４及び棚裏板２５を巻き込むように折り曲げて、棚補強材２２を包み込み、棚補強材２２の裏面に棚裏板２５を貼り付ける。この状態において、棚板材２１の係合切込２ａ及び係合穴２ｂと、棚補強材２２の係合切込２ａ及び係合穴２ｂとは一致する。
【００３０】
さらに、広告板３０のブランクでは、表示板部３０ａの両側から補強片３０ｂを折り曲げ、表示板部３０ａの裏面に貼り付ける。
【００３１】
そして、上段及び中段の前壁４の下縁から後方へ棚受片４ｂを折り曲げ、下段の前壁４の上縁から補強片４ａを下方へ折り曲げ、これに連なる棚受片４ｂを後方へ折り曲げて、各段の棚２における棚裏板２５の切欠部から露出した棚表板２３の裏面に、それぞれ棚受片４ｂを貼り付ける。これにより、前壁４に各段の棚２が取り付けられる。
【００３２】
その後、図４に示すように、各段の棚２を、後壁５の間の開口部９から後方へ基部まで突出させ、前側板６及び後側板７からそれぞれ接合片８を内側へ折り曲げた状態で、前枠材１１と後枠材１２の接合片８同士を貼り合わせ、補強片６ｂを補強片７ａの切欠部に嵌るように後側板７の内面に貼り付ける。
【００３３】
これに伴い、前枠材１１と後枠材１２とが一体化して枠体１が形成され、前側板６と後側板７とが繋がった一対の側壁３がヒンジ１ａに沿って山折りに屈曲し、棚２が後壁５の外面に接近する方向へ揺動した偏平な折畳状態となる。
【００３４】
このような折畳状態としておくと、小売店への輸送時や保管時に嵩張らないので、陳列する商品の販売促進に要する費用を削減できる。
【００３５】
一方、この陳列台を小売店の店頭で使用する際には、図３に示すように、折畳状態で対向する側壁３のヒンジ１ａの近傍を内側へ押すと、側壁３のヒンジ１ａでの折り曲げが伸びて、３段の棚２が一斉に後壁５の開口部９から枠体１の内部に挿入される方向へスライドすると共に、対向する側壁３から枠体１の内側へ接合片８が突出する。
【００３６】
そして、図１及び図２に示すように、枠体１が四角筒状となったとき、棚２の後部の係合切込２ａに後壁５の係合片５ａが嵌まり込むと共に、棚２の前後方向の中間部の係合穴２ｂに接合片８の係合突起８ａが嵌まり込み、棚２の後部が後壁５の開口部９の端縁に支持され、棚２の前後方向の中間部が接合片８で支持された組立状態となる。
【００３７】
このように陳列台の基本的部分を組み立てた後、消費者への訴求力を向上させるためには、広告板３０の差込片３０ｃを枠体１の後端上部の差込穴５ｅに差し込み、広告板３０を表示板部３０ａが目立つように起立状態に保持しておくとよい。
【００３８】
上記のような厚紙製陳列台では、店頭において折畳状態から組み立てる際、対向する側壁３のヒンジ１ａの近傍を内側へ押すだけで、組立手順を記載した説明書等を参照することなく、直感的かつ迅速に組み立てられるので、陳列作業の効率が向上する。
【００３９】
また、組立状態において、棚２の後部が後壁５の開口部９の端縁で支持されると共に、棚２の前後方向の中間部が接合片８で支持されるので、棚２に重い商品を載せて陳列することができ、枠体１も確実に保形されるので、安定した状態で陳列することができる。
【００４０】
なお、上記実施形態では、枠体１として、前枠材１１と後枠材１２とを接合して構成するものを例示したが、小型の陳列台を製作する場合においては、枠体１を１枚のブランクから構成するようにしてもよい。また、陳列する商品が軽い場合には、前部補強材１３や後部補強材１４、棚補強材２２等を省略してもよい。
【００４１】
また、棚２を前壁４から延出し、開口部９を後壁５に形成したものを例示したが、棚２を後壁５から延出し、開口部９を前壁４に形成して、折畳状態では、棚２が前壁４の開口部９から前方へ突出し、組み立てに伴い、後壁５に引っ張られて枠体１の内部に挿入されるようにしてもよい。また、前壁４にのみ商品を見せる窓があるものを例示したが、これに加えて、後壁５にも商品を見せる窓を形成してもよい。
【符号の説明】
【００４２】
１  枠体
１ａ  ヒンジ
２  棚
２ａ  係合切込
２ｂ  係合穴
３  側壁
４  前壁
４ａ  補強片
４ｂ  棚受片
５  後壁
５ａ  係合片
５ｂ，５ｃ，５ｄ  補強片
５ｅ  差込穴
６  前側板
６ａ，６ｂ，６ｃ  補強片
７  後側板
７ａ  補強片
８  接合片
８ａ  係合突起
９  開口部
１１  前枠材
１２  後枠材
１３  前部補強材
１４  後部補強材
２１  棚板材
２２  棚補強材
２３  棚表板
２４  棚側部
２５  棚裏板
３０  広告板
３０ａ  表示板部
３０ｂ  補強片
３０ｃ  差込片
【図１】
0006700016.tif 000002
【図２】
0006700016.tif 000003
【図３】
0006700016.tif 000004
【図４】
0006700016.tif 000005
【図５】
0006700016.tif 000006
【図６】
0006700016.tif 000007
【図７】
0006700016.tif 000008
【図８】
0006700016.tif 000009